(57)【特許請求の範囲】
【請求項１】
充放電可能である電池本体と、
この電池本体をその内部に収納する、合成樹脂製のケーシングと
を備える携帯型給電装置に於いて、
前記ケーシングの外面の一部である被印刷面に、顔料と、紫外線硬化樹脂と、光重合開始剤とを含むインクにより、対象画像が印刷されており、
前記被印刷面が白色であり、
前記インクとして、シアンの顔料を含むもの、マゼンタの顔料を含むもの、イエローの顔料を含むもの、及び白色の顔料を含むものの少なくとも４つを使用している事を特徴とする携帯型給電装置。
【請求項２】
前記ケーシングを構成する合成樹脂が白色である、請求項１に記載した携帯型給電装置。
【請求項３】
前記顔料を構成する粒子の粒子径が、１００ｎｍ以下である、請求項１又は２に記載した携帯型給電装置。
【発明の詳細な説明】
【技術分野】
【０００１】
この発明は、携帯電話等、各種携帯機器への給電が可能である、携帯型給電装置の改良に関する。
【背景技術】
【０００２】
携帯電話（所謂スマートフォンを含む）の高機能・多機能化や使用時間の増大に伴い、消費電力が増大している。この為、携帯電話に付属の電池パックでは、電池容量が不足すると言った問題がある。これに対し、時間や場所に制約される事なく、携帯電話やタブレット（ストレートＰＣ）等、各種携帯機器に給電可能な携帯型給電装置（モバイルバッテリ）が、例えば特許文献１に記載される等により知られ、且つ、広く実施されている。この様な携帯型給電装置は、リチウムイオン電池等の二次電池と、この二次電池をその内部に収納する、合成樹脂製のケーシングとを備える。このうちの二次電池は、家庭用電源やパーソナルコンピュータの出力端子（ＵＳＢ端子）等から予め充電しておく。そして、前記携帯機器に付属の電池パックの電源容量（放電容量）が減少した場合に、前記二次電池からこの携帯機器に給電し、この電池パックを充電する。
【０００３】
上述の様な携帯型給電装置は、人目に触れる機会が多い為、ケーシングの外面に、写真や絵等の画像を表示（印刷）して、ファッション性（意匠性）を高めたり、広告機能を持たせる事が望まれる。尚、本明細書及び特許請求の範囲に於いて、画像には、符号や記号、文字も含むものとする。合成樹脂に画像を印刷する方法としては、例えば、スクリーン印刷やパッド印刷がある。但し、スクリーン印刷やパッド印刷の場合、写真等の高精細な画像を印刷する事が難しい。これに対し、ホットスタンプにより印刷すれば、高精細な画像を表示する事は可能であるが、画像をグラビア印刷等により転写箔に印刷する必要があり、製造コストが増大する。又、画像を表示したシール（ステッカー）を貼付したり、ケーシングの表面に親水性のインク受容層を設け、このインク受容層に水性インクを用いて画像を印刷する事も考えられるが、耐久性が低く劣化し易いと言った問題がある。
【先行技術文献】
【特許文献】
【０００４】
【特許文献１】実用新案登録第３１４８０４６号公報
【発明の概要】
【発明が解決しようとする課題】
【０００５】
本発明は、上述の様な事情に鑑みて、写真等の高精細な画像を表示でき、この画像の耐久性を確保できる、携帯型給電装置の構造を実現すべく発明したものである。
【課題を解決するための手段】
【０００６】
本発明の携帯型給電装置は、充放電可能である電池本体と、この電池本体をその内部に収納する、合成樹脂製のケーシングとを備える。
特に、本発明の携帯型給電装置に於いては、前記ケーシングの外面（表面）の一部である被印刷面に、顔料と、紫外線硬化樹脂と、光重合開始剤とを含むインクにより、写真や絵等である対象画像が印刷されている。即ち、インクを前記被印刷面に向けて、各色（顔料の色）毎に噴射し（吹き付け）、吹き付けたインクに紫外線を照射して紫外線硬化樹脂を硬化（モノマー乃至オリゴマーをポリマーに変化）させ、顔料を前記被印刷面に定着させる事で前記対象画像を印刷する。
この様な本発明の携帯型給電装置を実施する場合、例えば、具体的には、前記紫外線硬化樹脂を、アクリル系樹脂とする。
【０００７】
更に、本発明の携帯型給電装置に於いては、前記被印刷面を白色とし、前記顔料を、白色を含むものとする。具体的には、前記インクとして、所謂色の三原色であるシアン、マゼンタ、イエローのそれぞれの色の顔料を含むものに加え、白色の顔料を含むもの、更に必要に応じて、黒色の顔料を含むものを使用して前記対象画像を印刷する。
この場合に好ましくは、前記ケーシングを構成する合成樹脂を白色とする。
【０００８】
又、本発明を実施する場合に好ましくは、前記顔料を構成する粒子の粒子径を、１００ｎｍ以下とする。
【発明の効果】
【０００９】
上述の様に構成する本発明の携帯型給電装置の場合には、対象画像を写真等の高精細な画像とした場合でも、この対象画像を鮮やかに表示する事ができ、更にこの画像の耐久性を確保する事ができる。この結果、前記携帯型給電装置のファッション性（意匠性）や広告機能を長期間に亙り良好な状態に維持する事ができる。
又、白色の印刷面に、インクとして、所謂色の三原色であるシアン、マゼンタ、イエローのそれぞれの色の顔料を含むものに加え、白色の顔料を含むものの少なくとも４つを使用して前記対象画像を印刷している為、この対象画像に含まれる白色を鮮やかに発色させる事ができる。従って、人肌の色を鮮やかに発色させる事ができ、前記対象画像として、人物の写真を採用した場合でも、この対象画像を鮮やかに表示する事ができる。
【図面の簡単な説明】
【００１０】
【図１】本発明の実施の形態の１例を示す斜視図。
【発明を実施するための形態】
【００１１】
図１は、本発明の実施の形態の１例を示している。尚、本例を含めて、本発明の携帯型給電装置の特徴は、写真等の高精細な画像を表示し、この画像の耐久性を確保する為の構造にある。その他の部分の構造及び作用は、基本的に、従来から知られている携帯型給電装置と同様である。
【００１２】
本例の携帯型給電装置１は、電池本体２と、ケーシング３とを備える。このうちの電池本体２は、充放電可能な二次電池４と、入力端子５と、出力端子６と、電池容量表示部７、電池容量確認ボタン８とを備える。このうちの二次電池４は、リチウムイオン電池等により構成され、前記入力端子５を、図示しないケーブルにより、家庭用電源やパーソナルコンピュータの出力端子｛ＵＳＢ（Ｕｎｉｖｅｒｓａｌ  Ｓｅｒｉａｌ  Ｂｕｓ）ポート｝等に接続する事で充電される。又、前記二次電池４は、前記出力端子６を、図示しないケーブルにより、携帯電話やタブレット等の携帯機器の入力端子に接続する事でこの携帯機器に給電し、この携帯機器に付属の電池パックを充電する。この様な二次電池４の放電容量は、例えば１０００〜１００００ｍＡｈ程度である。尚、本例の場合には、前記入力端子５を、マイクロＵＳＢポート（Ｍｉｃｒｏ−Ｂ）とし、前記出力端子６を、ＵＳＢポート（Ｓｔａｎｄａｒｄ−Ａ）としている。但し、これら入力端子５及び出力端子６を、例えばＥＩＡＪポート等、他の形状（別の規格）とする事もできる。
【００１３】
又、前記電池容量表示部７は、前記二次電池４の充電中や前記携帯機器への給電中に、電池容量（放電容量）を表示する為のもので、複数（図示の例の場合には３つ）のＬＥＤから成る。即ち、前記電池容量表示部７は、前記二次電池４の電池容量に応じて、これら各ＬＥＤの点灯状態（連続点灯、点滅、消灯）を切り換える。尚、本例の場合、前記二次電池４の充電中或いは前記携帯機器への充電中以外の場合でも、前記電池容量確認ボタン８を押下する事で、前記電池容量表示部７により前記二次電池４の電池容量を確認可能としている。但し、この様な電池容量確認ボタン８は、省略しても良い。
【００１４】
又、前記ケーシング３は、ＡＢＳ樹脂やポリカーボネート（ＰＣ）、ポリプロピレン（ＰＰ）、ポリエチレン（ＰＥ）等の合成樹脂、或いは、これらの混合物により略矩形箱状（略四角柱状）に造られたもので、その内部に前記電池本体２を収納している。尚、本例の場合には、前記ケーシング３を構成する合成樹脂の色を白色としている。この様なケーシング３の大きさは、例えば、幅及び高さが５０〜１５０ｍｍ程度であり、厚さが５〜２０ｍｍ程度である。そして、この様なケーシング３の天板部（被印刷面）９に、写真や絵等である対象画像１０を印刷している。この対象画像１０は、顔料と、紫外線硬化樹脂と、光重合開始剤とを含むインク（紫外線硬化型インク）により前記天板部９に印刷されている。特に本例の場合には、このインクとして、所謂色の三原色であるシアン、マゼンタ、イエローのそれぞれの色の顔料を含むものに加え、白色の顔料を含むもの、更には、黒色の顔料を含むものを使用している。又、インクに含まれる顔料を構成する粒子を、粒径が小さな超微粒子としている。より具体的には、粒径が１００ｎｍ以下で、比較的形状が揃った米粒形としている。
【００１５】
前記天板部９に前記対象画像１０を印刷する際には、先ず、インクをこの天板部９に向けて、各色（顔料の色）毎に噴射する（吹き付ける）。本例の場合には、各色毎に、インクを噴射する複数のノズルを直線状に配置し、これら各ノズルの下を被印刷体である前記ケーシング３（携帯型給電装置１）を通過させながらインクをこのケーシング３の天板部９に吹き付ける、ラインヘッド方式の印刷機を使用している。又、この天板部９のうち、前記電池容量表示部７を構成するＬＥＤが露出した部分には、インクを吹き付けない様に印刷機のプログラムが設定されている。次に、前記天板部９に吹き付けられたインクに、紫外線を照射して紫外線硬化樹脂を硬化（モノマー乃至オリゴマーをポリマーに変化）させ、顔料を前記天板部９に定着させる事で、前記対象画像１０をこの天板部９に表示（印刷）する。尚、この様な紫外線硬化樹脂としては、例えばアクリル系樹脂を使用する事ができる。
【００１６】
上述した様に本例の携帯型給電装置１の場合には、紫外線を照射する事によりインクに含まれる紫外線硬化樹脂を硬化させ顔料を定着させる、紫外線硬化型インクを使用して、前記ケーシング３の天板部９に前記対象画像１０を印刷している。従って、この対象画像１０を、写真等の高精細な画像とした場合でも、鮮やかに表示する事ができる。又、画像を表示したシールを貼付したり、親水性のインク受容層を設け、このインク受容層に水性インクを用いて画像を印刷した場合と比較して、耐久性（特に耐水性）を向上させる事ができる。この結果、前記携帯型給電装置１のファッション性（意匠性）や広告機能を、長期間に亙り良好な状態に維持する事ができる。
【００１７】
特に本例の場合には、前記ケーシング３を構成する合成樹脂を白色とし、インクとして所謂色の三原色の顔料を含むものに加え、白色の顔料を含むものを使用している。又、顔料を構成する粒子を、粒径が小さな超微粒子としている為、可視光の散乱を抑えて透過率を良好にする事ができる。この結果、前記対象画像１０に含まれる白色を鮮やかに発色させる事ができる。従って、人肌の色を鮮やかに発色させる事ができ、例えば、前記対象画像１０として人物の写真を採用した場合でも、この対象画像１０を鮮やかに表示する事ができる。
【００１８】
更に、本例の場合、複数のノズルを直線状に配置し、これら各ノズルの下を被印刷体である前記ケーシング３を通過させてインクを吹き付けるラインヘッド方式の印刷機を使用し、前記対象画像１０を前記天板部９に印刷している。この為、この対象画像１０の表面を滑らかにして、この対象画像１０に光沢を持たせる事ができる。
【００１９】
尚、本発明を実施する場合、ケーシングを構成する合成樹脂の色を白色以外の色にする事もできる。この場合、このケーシングのうち、対象画像の被印刷面である天板部に塗装を施す等して、この天板部を白色に着色する事が好ましい。
又、ケーシングは、略矩形箱状に限らず、三角柱状や五角柱状等の多角柱状、或いは略円筒状等、その他の形状とする事もできる。但し、この場合にも、対象画像の被印刷面は、滑らかな平坦面にする。
【符号の説明】
【００２０】
１  携帯型給電装置
２  電池本体
３  ケーシング
４  二次電池
５  入力端子
６  出力端子
７  電池容量表示部
８  電池容量確認ボタン
９  天板部
１０  対象画像
【図１】
0006521636.tif 000002